(57)【特許請求の範囲】
【請求項１】
水素の存在下、動植物油に由来する含酸素炭化水素化合物を含有する原料油と、アルミニウム、ケイ素、ジルコニウム、ホウ素、チタン及びマグネシウムから選ばれる２種以上の元素を含んで構成される多孔性無機酸化物並びに該多孔性無機酸化物に担持された周期律表第６Ａ族及び第８族の元素から選ばれる１種以上の金属を含有する触媒とを、水素圧力２ＭＰａ以上４ＭＰａ以下で水素化処理し、得られる被処理物から水素、硫化水素、二酸化炭素及び水を除去して炭化水素油を得る工程を備え、
前記原料油は、前記工程を経て得られた前記炭化水素油の一部を前記含酸素炭化水素化合物に対して０．５〜５質量倍となるようにリサイクル供給したリサイクル油と、前記含酸素炭化水素化合物に対して硫黄原子換算で１〜５０質量ｐｐｍの含硫黄炭化水素化合物と、を含有することを特徴とする、炭化水素油の製造方法。
【請求項２】
前記炭化水素油を、軽質留分、中間留分及び重質留分に分留し、前記軽質留分と前記中間留分とのカット温度を１００〜２００℃、前記中間留分と前記重質留分とのカット温度を３００〜４００℃とすることを特徴とする、請求項１記載の炭化水素油の製造方法。
【請求項３】
前記炭化水素油又は前記炭化水素油から分留された中間留分について異性化処理を施すことを特徴とする、請求項１又は２に記載の炭化水素油の製造方法。
【請求項４】
前記炭化水素油又は前記炭化水素油から分留された中間留分について異性化処理を施し、得られた異性化処理油を軽質留分、中間留分及び重質留分に分留し、軽質留分と中間留分とのカット温度を１００〜２００℃、中間留分と重質留分とのカット温度を３００〜４００℃とすることを特徴とする、請求項１〜３のいずれか１項に記載の炭化水素油の製造方法。
【請求項５】
前記リサイクル油が、前記炭化水素油から分留された中間留分の一部を含有することを特徴とする、請求項１〜４のいずれか１項に記載の炭化水素油の製造方法。
【請求項６】
前記リサイクル油が、前記炭化水素油又は前記炭化水素油から分留された中間留分について異性化処理したものの一部を含有することを特徴とする請求項１〜５のいずれか１項に記載の炭化水素油の製造方法。
【請求項７】
前記リサイクル油が、前記炭化水素油又は前記炭化水素油から分留された中間留分について異性化処理し、異性化処理油をさらに分留して得られた中間留分の一部を含有することを特徴とする請求項１〜６のいずれか１項に記載の炭化水素油の製造方法。
【請求項８】
前記含酸素炭化水素化合物が、脂肪酸類及び脂肪酸エステル類から選ばれる１種以上の化合物であることを特徴とする、請求項１〜７のいずれか１項に記載の炭化水素油の製造方法。
【請求項９】
前記含酸素炭化水素化合物が、脂肪酸のトリグリセライドであることを特徴とする、請求項１〜８のいずれか１項に記載の炭化水素油の製造方法。
【請求項１０】
前記触媒の窒素吸着ＢＥＴ法による細孔容積が０．３０〜０．８５ｍｌ／ｇであり、平均細孔直径が５〜１１ｎｍであり、全細孔容積に占める細孔直径３ｎｍ以下の細孔に由来する細孔容積の割合が３５容量％以下であることを特徴とする、請求項１〜９のいずれか１項に記載の炭化水素油の製造方法。
【請求項１１】
前記多孔性無機酸化物がリン元素を含有することを特徴とする、請求項１〜１０のいずれか１項に記載の炭化水素油の製造方法。
【発明の詳細な説明】
【技術分野】
【０００１】
本発明は炭化水素油の製造方法に関する。
【背景技術】
【０００２】
地球温暖化の防止対策としてバイオマスのもつエネルギーの有効利用に注目が集まっている。その中でも植物由来のバイオマスエネルギーは、植物の成長過程で光合成により大気中の二酸化炭素から固定化された炭素を有効利用できるため、ライフサイクルの観点からすると大気中の二酸化炭素の増加につながらない、所謂カーボンニュートラルという性質を持つ。【０００３】
このようなバイオマスエネルギーの利用は輸送用燃料の分野においても種々検討がなされている。例えば、ディーゼル燃料として動植物油由来の燃料を使用できれば、ディーゼルエンジンの高いエネルギー効率との相乗効果により、二酸化炭素の排出量削減において有効な役割を果たすと期待されている。動植物油を利用したディーゼル燃料としては、一般的には脂肪酸メチルエステル油（Ｆａｔｔｙ  Ａｃｉｄ  Ｍｅｔｈｙｌ  Ｅｓｔｅｒ  の頭文字から「ＦＡＭＥ」と略称される。）が知られている。ＦＡＭＥは動植物油の一般的な構造であるトリグリセリドを、アルカリ触媒等の作用によりメタノールとエステル交換反応に供することで製造される。【０００４】
しかしながら、ＦＡＭＥを製造するプロセスにおいては、下記特許文献１に記載されている通り、副生するグリセリンの処理が必要であり、また生成油の洗浄などにコストやエネルギーを要する等の問題が指摘されている。【０００５】
また、ＦＡＭＥは１分子中に２つの酸素原子を有することから、燃料としては極めて高い酸素含有量となり、従来の石油由来のディーゼル燃料に配合して使用する場合においてもなお、この酸素分がエンジン材質に与える悪影響が懸念されるとの問題もある。【０００６】
そこで、動植物に由来する含酸素炭化水素化合物を含む原料油を水素化触媒の存在下に水素化脱酸素処理して、実質的に酸素を含まない炭化水素からなる燃料油を製造する方法が検討されている（例えば下記特許文献２および３を参照。）。
【先行技術文献】
【特許文献】
【０００７】
【特許文献１】特開２００５−１５４６４７号
【特許文献２】特開２００３−１７１６７０号
【特許文献３】特開２００７−３０８５６３号
【発明の概要】
【発明が解決しようとする課題】
【０００８】
しかしながら、上記従来の製造方法の場合、以下の点で改善の余地がある。【０００９】
すなわち、動植物に由来する含酸素炭化水素化合物を含む原料油を水素化触媒の存在下に水素化脱酸素する反応は発熱反応であり、反応温度の上昇に対して反応器の耐熱性向上の必要性、高温副反応の増加及び高温に暴走反応の発生など問題があり、温度上昇を抑制する必要がある。なお、一般的な発熱反応においては、反応熱の除去のために反応器に冷却装置を設置する方法や不活性な物質（希釈媒）で原料を希釈する方法が採用されている。しかし、前者の方法は反応器が非常に高価となる。一方、後者の方法では十分な発熱抑制効果を得るためには不活性な物質を大量に用いる必要があり、装置の過度の大型化が必要などの制限がある。【００１０】
また、二酸化炭素の排出量削減を目的として動植物に由来する含酸素炭化水素化合物を含む原料油を水素化触媒の存在下に水素化脱酸素してする炭化水素油を製造するには、除去された反応熱をエネルギーとして有効に回収することができなければ、そのエネルギーに相当する二酸化炭素の排出を削減できない。【００１１】
本発明は、上記従来技術の有する課題に鑑みてなされたものであり、反応による発熱量を抑制してエネルギー損失を抑えるとともに、希釈媒の使用量を低減することが可能な炭化水素油の製造方法を提供することを目的とする。
【課題を解決するための手段】
【００１２】
上記課題を解決するために、本発明は、水素の存在下、動植物油に由来する含酸素炭化水素化合物を含有する原料油と、アルミニウム、ケイ素、ジルコニウム、ホウ素、チタン及びマグネシウムから選ばれる２種以上の元素を含んで構成される多孔性無機酸化物並びに該多孔性無機酸化物に担持された周期律表第６Ａ族及び第８族の元素から選ばれる１種以上の金属を含有する触媒とを、水素圧力２ＭＰａ以上４ＭＰａ以下で水素化処理し、得られる被処理物から水素、硫化水素、二酸化炭素及び水を除去して炭化水素油を得る工程を備え、前記原料油は、前記工程を経て得られた前記炭化水素油の一部を前記含酸素炭化水素化合物に対して０．５〜５質量倍となるようにリサイクル供給したリサイクル油と、前記含酸素炭化水素化合物に対して硫黄原子換算で１〜５０質量ｐｐｍの含硫黄炭化水素化合物と、を含有することを特徴とする、炭化水素油の製造方法を提供する。
【００１３】
ここで、上記原料油を水素化処理すると、動植物油に由来する含酸素炭化水素化合物の水素化脱酸素反応が進行し、炭化水素が生成する。本発明でいう「水素化脱酸素反応」とは、含酸素炭化水素化合物を構成する酸素原子を除去し、開裂した部分に水素を付加する反応を意味する。例えば脂肪酸トリグリセライドや脂肪酸は、それぞれエステル基、カルボキシル基等の含酸素基を有しているが、水素化脱酸素反応によって、これらの含酸素基に含まれる酸素原子が取り除かれ、含酸素炭化水素化合物は炭化水素に転換される。脂肪酸トリグリセライド等が有する含酸素基の水素化脱酸素には、主として二つの反応経路がある。第１の反応経路は、脂肪酸トリグリセライド等の含酸素基がそのまま二酸化炭素として脱離する脱炭酸経路であり、酸素原子は二酸化炭素として取り除かれる。第２の反応経路は、脂肪酸トリグリセライド等の炭素数を維持しながらアルデヒド、アルコールを経由して還元される水素化経路である。この場合、酸素原子は水に転換される。これらの反応が並列に進行した場合、炭化水素と水、二酸化炭素が生成する。【００１４】
ステアリン酸のアルキルエステルの場合を例とした水素化脱酸素の反応スキームを下記式（１）、（２）に示す。式（１）で表される反応スキームは上記第１の反応経路に相当するものであり、また、式（２）で示される反応スキームは上記第２の反応経路に相当するものである。また、式（１）、（２）中のＲはアルキル基を示す。
Ｃ１７Ｈ３５ＣＯＯＲ＋Ｈ２→Ｃ１７Ｈ３６＋ＣＯ２＋ＲＨ  （１）
Ｃ１７Ｈ３５ＣＯＯＲ＋４Ｈ２→Ｃ１８Ｈ３８＋２Ｈ２Ｏ＋ＲＨ  （２）【００１５】
本発明の炭化水素油の製造方法においては、動植物油に由来する含酸素炭化水素化合物を含有する原料油を水素化処理するに際し、原料油に、上記工程で得られる被処理物及び／又は炭化水素油の一部であるリサイクル油と、含硫黄炭化水素化合物とをそれぞれ特定量含有せしめるとともに、上記特定の触媒及び反応条件を採用することによって、水素化脱酸素反応２つの経路のうち、反応熱がより低い上記第１の反応経路の占める割合を大きくすることができる。その結果、反応による発熱量自体を抑制するとともに、希釈媒の使用量を低減することが可能となる。【００１６】
本発明においては、上記工程で得られた炭化水素油を、軽質留分、中間留分及び重質留分に分留し、軽質留分と中間留分とのカット温度を１００〜２００℃、中間留分と重質留分とのカット温度を３００〜４００℃とすることが好ましい。【００１７】
また、上記工程で得られた炭化水素油又は該炭化水素油から分留された中間留分について異性化処理を施すことが好ましい。【００１８】
また、上記工程で得られた炭化水素油又は該炭化水素油から分留された中間留分について異性化処理を施し、得られた異性化処理油を軽質留分、中間留分及び重質留分に分留し、軽質留分と中間留分とのカット温度を１００〜２００℃、中間留分と重質留分とのカット温度を３００〜４００℃とすることが好ましい。【００１９】
また、リサイクル油は、炭化水素油の一部を含有することが好ましい。さらに、炭化水素油から分留された前記中間留分の一部、炭化水素油又は炭化水素油から分留された中間留分について異性化処理したものの一部、あるいは、炭化水素油又は炭化水素油から分留された中間留分について異性化処理したものから分留された中間留分の一部を含有することが好ましい。【００２０】
また、原料油に含まれる含酸素炭化水素化合物は、脂肪酸類及び脂肪酸エステル類から選ばれる１種以上の化合物であることが好ましく、脂肪酸のトリグリセライドであることがより好ましい。【００２１】
また、水素化処理に使用される触媒は、その窒素吸着ＢＥＴ法による細孔容積が０．３０〜０．８５ｍｌ／ｇであり、平均細孔直径が５〜１１ｎｍであり、全細孔容積に占める細孔直径３ｎｍ以下の細孔に由来する細孔容積の割合が３５容量％以下であることが好ましい。【００２２】
さらに、触媒に含まれる多孔性無機酸化物はリン元素を含有することが好ましい。
【発明の効果】
【００２３】
以上の通り、本発明によれば、反応による発熱量を抑制してエネルギー損失を抑えるとともに、希釈媒の使用量を低減することが可能な炭化水素油の製造方法が提供される。
【発明を実施するための形態】
【００２４】
以下、本発明の好適な実施形態について詳細に説明する。
【００２５】
（原料油）
本発明においては、動植物油に由来する含酸素化合物と、特定のリサイクル油と、含硫黄炭化水素化合物とを含有する原料油が用いられる。なお、水素化処理のスタートアップ時には、リサイクル油に相当する脂肪族炭化水素化合物を予め用意し、該炭化水素化合物を原料油に含有させたものを水素化処理に供してもよい。
【００２６】
動植物油に由来する含酸素化合物としては、動植物油由来の油脂成分やその誘導品が、脱炭酸反応が起きやすいことから好適である。ここで油脂成分には、天然もしくは人工的に生産、製造される動植物油脂及び動植物油成分及び／又はこれらの油脂を由来して生産、製造される成分及びこれらの油脂製品の性能を維持、向上させる目的で添加される成分が包含される。また油脂成分の誘導体には、上記油脂製品を製造する過程で副生される成分や、意図的に誘導品へ加工された成分が包含される。
【００２７】
動植物油に由来する油脂成分としては、例えば、牛脂、トウモロコシ油、菜種油、大豆油、パーム油などが挙げられる。本発明においては動植物油に由来する油脂成分として、いかなる油脂を用いてもよく、これら油脂を使用した後の廃油でもよい。ただし、カーボンニュートラルの観点からは植物油脂が好ましく、脂肪酸アルキル鎖炭素数及びその反応性の観点から、菜種油、大豆油及びパーム油がより好ましい。なお、上記の油脂は１種を単独で又は２種以上を混合して用いてもよい。
【００２８】
動植物油に由来する油脂成分の誘導体としては、上記油脂成分の脂肪酸トリグリセリドを構成する脂肪酸やそれらのメチルエステルなどのエステル体に加工されている成分を含んでいてもよい。これらの脂肪酸トリグリセリドを構成する脂肪酸の代表的例としては、飽和脂肪酸と称する分子構造中に不飽和結合を有しない脂肪酸である酪酸（Ｃ３Ｈ７ＣＯＯＨ）、カプロン酸（Ｃ５Ｈ１１ＣＯＯＨ）、カプリル酸（Ｃ７Ｈ１５ＣＯＯＨ）、カプリン酸（Ｃ９Ｈ１９ＣＯＯＨ）、ラウリン酸（Ｃ１１Ｈ２３ＣＯＯＨ）、ミリスチン酸（Ｃ１３Ｈ２７ＣＯＯＨ）、パルミチン酸（Ｃ１５Ｈ３１ＣＯＯＨ）、ステアリン酸（Ｃ１７Ｈ３５ＣＯＯＨ）、及び不飽和結合を１つもしくは複数有する不飽和脂肪酸であるオレイン酸（Ｃ１７Ｈ３３ＣＯＯＨ）、リノール酸（Ｃ１７Ｈ３１ＣＯＯＨ）、リノレン酸（Ｃ１７Ｈ２９ＣＯＯＨ）、リシノレン酸（Ｃ１７Ｈ３２（ＯＨ）ＣＯＯＨ）等が挙げられる
【００２９】
リサイクル油は、水素化処理における反応熱による温度上昇を抑制する役割を担っている。本発明においては、該リサイクル油として、水素化処理により得られる該被処理物から水素、硫化水素、二酸化炭素及び水を除去した炭化水素油（留出油）の一部が、原料油にリサイクル供給される。
【００３０】
リサイクル油は、上記炭化水素油の一部を含有することが好ましい。さらに、炭化水素油から分留された中間留分の一部、炭化水素油又は炭化水素油から分留された中間留分について異性化処理したものの一部、あるいは、炭化水素油又は炭化水素油から分留された中間留分について異性化処理したものから分留された中間留分の一部を含有することが好ましい。これらの成分を原料油にリサイクル供給する際には、当該成分を冷却しておくことが好ましい。
【００３１】
原料油におけるリサイクル油の含有量は、動植物油に由来する含酸素炭化水素化合物に対して０．５〜５質量倍であり、反応器の最高使用温度に応じて前記の範囲内で比率が定められる。これは、両者の比熱が同じであると仮定した場合に、両者を１対１で混合すると温度上昇は動植物油に由来する物質を単独で反応させる場合の半分となることから、上記範囲内であれば反応熱を十分に低下させることができるとの理由による。なお、リサイクル油の含有量が含酸素炭化水素化合物の５質量倍より大きいと、含酸素炭化水素化合物の濃度が低下して反応性が低下し、また、配管等の流量が増加して負荷が増大する。他方、リサイクル油の含有量が含酸素炭化水素化合物の０．５質量倍より低い場合は温度上昇を十分に抑制できない。
【００３２】
原料油とリサイクル油の混合方法は特に限定されないが、例えば予め混合してその混合物を水素化処理装置の反応器に導入してもよく、あるいは原料油を反応器に導入する際に、反応器の前段において供給してもよい。さらに、反応器を複数直列に繋げて反応器間に導入する、あるいは単独の反応器内で触媒層を分割して触媒層間に導入することも可能である。
【００３３】
また、含硫黄炭化水素化合物は、水素化処理における脱酸素活性を向上させる役割を担っている。含硫黄炭化水素化合物としては、特に制限されないが、具体的には、スルフィド、ジスルフィド、ポリスルフィド、チオール、チオフェン、ベンゾチオフェン、ジベンゾチオフェン及びこれらの誘導体などが挙げられる。原料油に含まれる含硫黄炭化水素化合物は単一の化合物であってもよく、あるいは２種以上の混合物であってもよい。さらに、硫黄分を含有する石油系炭化水素留分を原料油に添加してもよい。
【００３４】
硫黄分を含有する石油系炭化水素留分としては、一般的な石油精製工程で得られる留分を用いることができる。例えば、常圧蒸留装置や減圧蒸留装置から得られる所定の沸点範囲に相当する留分、あるいは、水素化脱硫装置、水素化分解装置、残油直接脱硫装置、流動接触分解装置などから得られる、所定の沸点範囲に相当する留分を使用してもよい。なお、上記の各装置から得られる留分は１種を単独で又は２種以上を混合して用いてもよい。
【００３５】
含硫黄炭化水素化合物の含有量は、動植物油に由来する含酸素炭化水素化合物に対して硫黄原子換算として１〜５０質量ｐｐｍが必要であり、好ましくは５〜３０質量ｐｐｍ、より好ましくは１０〜２０質量ｐｐｍである。硫黄原子換算として含有量が１質量ｐｐｍ未満であると、脱酸素活性を安定的に維持することが困難となる傾向にある。他方、５０質量ｐｐｍを超えると、水素化処理工程で排出される軽質ガス中の硫黄濃度が増加するのに加え、被処理油又は炭化水素油に含まれる硫黄分含有量が増加する傾向にあり、ディーゼルエンジン等の燃料として用いる場合にエンジン排ガス浄化装置への悪影響が懸念される。なお、本発明における硫黄分は、ＪＩＳ  Ｋ  ２５４１「硫黄分試験方法」又はＡＳＴＭ−５４５３に記載の方法に準拠して測定される硫黄分の質量含有量を意味する。
【００３６】
本発明において、リサイクル油及び含硫黄炭化水素化合物の原料油への添加は同時に行っても別々に行ってもよいが、リサイクル油を原料油に添加した後、含硫黄化合物を更に添加することが好ましい。また、含硫黄炭化水素化合物は、原料油とリサイクル油の混合油に予め混合してその混合物を水素化処理装置の反応器に導入してもよく、あるいは原料油とリサイクル油の混合油を反応器に導入する際に、反応器の前段において供給してもよい。
【００３７】
（水素化処理）
本発明にかかる水素化処理においては、アルミニウム、ケイ素、ジルコニウム、ホウ素、チタン及びマグネシウムから選ばれる２種以上の元素を含んで構成される多孔性無機酸化物並びに該多孔性無機酸化物に担持された周期律表第６Ａ族及び第８族の元素から選ばれる１種以上の金属を含有する触媒が用いられる。
【００３８】
本発明で用いられる触媒の担体としては、上述のようにアルミニウム、ケイ素、ジルコニウム、ホウ素、チタン及びマグネシウムから選ばれる２種以上を含んで構成される多孔性無機酸化物が用いられる。かかる多孔性無機酸化物としては、脱酸素活性及び脱硫活性を一層向上できる点から、アルミニウム、ケイ素、ジルコニウム、ホウ素、チタン及びマグネシウムから選ばれる２種以上であることが好ましく、アルミニウムと他の元素とを含む無機酸化物（酸化アルミニウムと他の酸化物との複合酸化物）が更に好ましい。
【００３９】
多孔性無機酸化物が構成元素としてアルミニウムを含有する場合、アルミニウムの含有量は、多孔性無機酸化物全量を基準として、アルミナ換算で、好ましくは１〜９７質量％、より好ましくは１０〜９７質量％、更に好ましくは２０〜９５質量％である。アルミニウムの含有量がアルミナ換算で１質量％未満であると、担体酸性質などの物性が好適でなく、十分な脱酸素活性及び脱硫活性が発揮されない傾向にある。他方、アルミニウムの含有量がアルミナ換算で９７質量％を超えると、触媒表面積が不十分となり、活性が低下する傾向にある。
【００４０】
アルミニウム以外の担体構成元素である、ケイ素、ジルコニウム、ホウ素、チタン及びマグネシウムを担体に導入する方法は特に制限されず、これらの元素を含有する溶液などを原料として用いればよい。例えば、ケイ素については、ケイ素、水ガラス、シリカゾルなど、ホウ素についてはホウ酸など、リンについては、リン酸やリン酸のアルカリ金属塩など、チタンについては硫化チタン、四塩化チタンや各種アルコキサイド塩など、ジルコニウムについては硫酸ジルコニウムや各種アルコキサイド塩などを用いることができる。
【００４１】
さらに、多孔性無機酸化物は、構成元素としてリンを含有することが好ましい。リンの含有量は、多孔性無機酸化物全量を基準として、好ましくは０．１〜１０質量％、より好ましくは０．５〜７質量％、更に好ましくは２〜６質量％である。リンの含有量が０．１質量％未満の場合には十分な脱酸素活性及び脱硫活性が発揮されない傾向にあり、また、１０質量％を超えると過度の分解が進行して目的とする炭化水素油の収率が低下する恐れがある。
【００４２】
上記の酸化アルミニウム以外の担体構成成分の原料は、担体の焼成より前の工程において添加することが好ましい。例えば、アルミニウム水溶液に予め上記原料を添加した後、これらの構成成分を含む水酸化アルミニウムゲルを調製してもよく、調合した水酸化アルミニウムゲルに対して上記原料を添加してもよい。あるいは、市販の酸化アルミニウム中間体やベーマイトパウダーに水もしくは酸性水溶液を添加して混練する工程において上記原料を添加してもよいが、水酸化アルミニウムゲルを調合する段階で共存させることがより好ましい。酸化アルミニウム以外の担体構成成分の効果発現機構は必ずしも解明されたわけではないが、アルミニウムと複合的な酸化物状態を形成していると推察され、このことが担体表面積の増加や活性金属との相互作用を生じることにより、活性に影響を及ぼしていると考えられる。
【００４３】
担体としての上記多孔性無機酸化物には、周期律表第６Ａ族及び第８族の元素から選ばれる１種以上の金属が担持される。これらの金属の中でも、コバルト、モリブデン、ニッケル及びタングステンから選ばれる２種以上の金属を組み合わせて用いることが好ましい。好適な組み合せとしては、例えば、コバルト−モリブデン、ニッケル−モリブデン、ニッケル−コバルト−モリブデン、ニッケル−タングステンが挙げられる。これらのうち、ニッケル−モリブデン、ニッケル−コバルト−モリブデン及びニッケル−タングステンの組み合せがより好ましい。水素化処理に際しては、これらの金属を硫化物の状態に転換して使用する。
【００４４】
触媒質量を基準とする活性金属の含有量としては、タングステン及びモリブデンの合計担持量の範囲は、酸化物換算で１２〜３５質量％が好ましく、１５〜３０質量％がより好ましい。タングステン及びモリブデンの合計担持量が１２質量％未満であると、活性点が少なくなり、十分な活性が得られなくなる傾向がある。他方、３５質量％を越えると、金属が効果的に分散せず、十分な活性が得られなくなる傾向がある。コバルト及びニッケルの合計担持量の範囲は、酸化物換算で１．０〜１５質量％が好ましく、１．５〜１２質量％がより好ましい。コバルト及びニッケルの合計担持量が１．０質量％未満であると、十分な助触媒効果が得られず、活性が低下する傾向がある。他方、１５質量％を越えると、金属が効果的に分散せず、十分な活性が得られなくなる傾向がある。
【００４５】
これらの活性金属を触媒に含有させる方法は特に限定されず、通常の脱硫触媒を製造する際に適用される公知の方法を用いることができる。通常、活性金属の塩を含む溶液を触媒担体に含浸する方法が好ましく採用される。また、平衡吸着法、Ｐｏｒｅ−ｆｉｌｌｉｎｇ法、Ｉｎｃｉｐｉｅｎｔ−ｗｅｔｎｅｓｓ法なども好ましく採用される。例えば、Ｐｏｒｅ−ｆｉｌｌｉｎｇ法は、担体の細孔容積を予め測定しておき、これと同じ容積の金属塩溶液を含浸する方法である。なお、含浸方法は特に限定されるものではなく、金属担持量や触媒担体の物性に応じて適当な方法で含浸することができる。
【００４６】
本発明において、使用する水素化処理触媒の種類数は特に限定されない。例えば、一種類の触媒を単独で使用してもよく、活性金属種や担体構成成分の異なる触媒を複数使用してもよい。異なる触媒を複数使用する場合の好適な組み合せとしては、例えば、ニッケル−モリブデンを含有する触媒の後段にコバルト−モリブデンを含有する触媒、ニッケル−モリブデンを含有する触媒の後段にニッケル−コバルト−モリブデンを含有する触媒、ニッケル−タングステンを含有する触媒の後段にニッケル−コバルト−モリブデンを含有する触媒、ニッケル−コバルト−モリブデンを含有する触媒の後段にコバルト−モリブデンを含有する触媒を用いることが挙げられる。これらの組み合せの前段及び／又は後段にニッケル−モリブデン触媒を更に組み合せてもよい。
【００４７】
担体成分が異なる複数の触媒を組み合せる場合には、例えば、担体の総質量を基準として酸化アルミニウムの含有量が３０質量％以上であり且つ８０質量％未満の触媒の後段に、酸化アルミニウムの含有量が８０〜９９質量％の範囲にある触媒を用いればよい。
【００４８】
本発明において用いられる各触媒は一般的な水素化脱硫触媒と同様の方法で予備硫化した後に用いることができる。例えば、本発明の工程で得られた炭化水素油や石油系炭化水素油に含硫黄炭化水素化合物を添加したものを用いて、水素加圧条件下、２００℃以上の熱を所定の手順に従って与える。これにより、触媒上の活性金属が硫化された状態となり活性を発揮する。含硫黄炭化水素化合物としては、特に制限されないが、具体的には、スルフィド、ジスルフィド、ポリスルフィド、チオール、チオフェン、ベンゾチオフェン、ジベンゾチオフェン及びこれらの誘導体などが挙げられる。これらの含硫黄炭化水素化合物は単一の化合物であってもよく、あるいは２種以上の混合物であってもよい。さらに、硫黄分を含有する石油系炭化水素留分を直接用いてもよい。
【００４９】
予備硫化は水素化脱酸素反応と同一の反応器で行ってもかまわないし、また予め硫化処理を施された触媒や、含硫黄、含酸素あるいは含窒素有機溶剤による活性化処理を施された触媒を使用することもできる。
【００５０】
さらに、水素化処理触媒以外に、必要に応じて原料油に随伴して流入するスケール分をトラップしたり触媒床の区切り部分で水素化処理触媒を支持したりする目的でガード触媒、脱金属触媒、不活性充填物を用いてもよい。なお、これらは単独又は組み合せて用いることができる。
【００５１】
本発明で用いられる上記触媒の窒素吸着ＢＥＴ法による細孔容積は、０．３０〜０．８５ｍｌ／ｇであることが好ましく、０．４５〜０．８０ｍｌ／ｇであることがより好ましい。当該細孔容積が０．３０ｍｌ／ｇに満たない場合は担持される金属の分散性が不十分となり、活性点が検証する懸念がある。また、当該細孔容積が０．８５ｍｌ／ｇを超えると、触媒強度が不十分となり、使用中に触媒が粉化、破砕するおそれがある。
【００５２】
また、上記測定方法によって求められる触媒の平均細孔直径は、５〜１１ｎｍであることが好ましく、６〜９ｎｍであることがより好ましい。平均細孔直径が５ｎｍ未満であると、反応基質が細孔内に十分に拡散せず、反応性が低下するおそれがある。また、平均細孔直径が１１ｎｍを超えると、細孔表面積が低下し、活性が不十分となるおそれがある。
【００５３】
さらに、上記触媒においては、有効な触媒細孔を維持し、十分な活性を発揮させるために、全細孔容積に占める細孔直径３ｎｍ以下の細孔に由来する細孔容積の割合が３５容量％以下であることが好ましい。
【００５４】
また、水素の存在下で上記の原料油と触媒とを接触させる際の水素圧力は１ＭＰａ以上６ＭＰａ未満が必要であり、好ましくは２〜４ＭＰａである。水素圧力が６ＭＰａ以上であると脱炭酸反応と脱水反応の比率が一定であるが、６ＭＰａ未満の場合は圧力の低下に応じて脱炭酸比率が増加し、反応による発熱量を抑制する効果が出現する。ただし、水素圧力１ＭＰａ未満では、反応性が低下したり活性が急速に低下したりする傾向がある。また脱炭酸反応の比率を過度に上げるこことは、副生した二酸化炭素の量に相当する分の炭化水素油の収率を損なうことになるので、上記下限を下回ってまで脱炭酸比率を増加させることは適切ではない。
【００５５】
水素化処理における、触媒に対する１時間当たりの動植物油に由来する物質の流通量は０．５〜５倍が好ましく、０．７〜３倍がさらに好ましい。触媒に対する１時間当たりの動植物油に由来する物質の流通量は高いほど脱炭酸反応の選択性は向上するが、反応性も低下する傾向にあることから５倍以上とすることは適切でない。他方、流通量を低くすることは触媒量の増加すなわち反応器の大型化を引き起こすものであることから０．５倍以上とするのが現実的である。
【００５６】
水素化処理における水素油比（水素／油比）１００〜１５００ＮＬ／Ｌの範囲であることが好ましく、２００〜１２００ＮＬ／Ｌの範囲であることがより好ましく、２５０〜１０００ＮＬ／Ｌの範囲であることが特に好ましい。水素油比が上記上限を超える場合には上記水素圧力における脱炭酸反応の比率の増加効果を阻害し、また上記下限を下回る場合には十分な水素化反応が進行しないおそれがある。
【００５７】
水素化処理における反応温度は１８０〜３９０℃の範囲であることが好ましく、２００〜３８０℃の範囲であることがより好ましく、２５０〜３６５℃の範囲であることが特に好ましい。反応温度が１８０℃より低い場合には、十分な水素化反応が進行せず、３９０℃より高い場合には、過度の分解や原料油の重合、その他の副反応が進行するおそれがある。
【００５８】
反応器の形式としては、固定床方式を採用することができる。すなわち、水素は原料油に対して向流又は並流のいずれの形式を採用することができる。また、複数の反応器を用いて、向流、並流を組み合せた形式としてもよい。一般的な形式としては、ダウンフローであり、気液双並流形式を採用することができる。また、反応器は単独又は複数を組み合せてもよく、一つの反応器内部を複数の触媒床に区分した構造を採用してもよい。
【００５９】
反応器内で水素化処理された被処理油は気液分離工程や精留工程等を経て所定の留分を含有する水素化処理油に分画される。
【００６０】
原料油に含まれている酸素分や硫黄分の反応に伴って、水、一酸化炭素、二酸化炭素、硫化水素など副生物が発生する可能性があるため、複数の反応器の間や生成物回収工程に気液分離設備やその他の副生ガス除去装置を設置して、これらの副生物を除去することが必要である。副生物を除去する装置としては、高圧セパレータ等を好ましく挙げることができる。
【００６１】
副生物を除去した後の流出油は、必要に応じて精留塔で複数留分に分留してもよい。例えば、ガス、ナフサ留分等の軽質留分、灯油、軽油留分等の中間留分、残さ留分等の重質留分に分留してもよい。この場合、軽質留分と中間留分とのカット温度は１００〜２００℃が好ましく、１２０〜１８０℃がより好ましく、１４０〜１６０℃がさらに好ましい。また、中間留分と重質留分とのカット温度は３００〜４００℃が好ましく、３００〜３８０℃がより好ましく、３００〜３６０℃がさらに好ましい。また、生成するこのような軽質炭化水素留分の一部を水蒸気改質装置において改質することにより水素を製造することができる。このようにして製造された水素は、水蒸気改質に用いた原料がバイオマス由来炭化水素であることから、カーボンニュートラルという特徴を有しており、環境への負荷を低減することができる。
【００６２】
水素ガスは加熱炉を通過前もしくは通過後の原料油に随伴させて最初の反応器の入口から導入することが一般的であるが、これとは別に、反応器内の温度を制御するとともに、反応器内全体にわたって水素圧力を維持する目的で触媒床の間や複数の反応器の間から水素ガスを導入してもよい。このようにして導入される水素を一般にクエンチ水素と呼ぶ。原料油に随伴して導入する水素ガスに対するクエンチ水素の割合は、１０〜６０容量％であることが好ましく、１５〜５０容量％であることがより好ましい。クエンチ水素の割合が１０容量未満であると後段の反応部位での反応が十分に進行しない傾向があり、クエンチ水素の割合が６０容積％を超えると反応器入口付近での反応が十分に進行しない傾向がある。
【００６３】
本発明によって製造される炭化水素油を軽油留分基材として用いる場合は、少なくとも２６０〜３００℃の沸点を有する留分を含有し、硫黄分の含有量が１５質量ｐｐｍ以下であり且つ酸素分の含有量０．５質量％以下であることが好ましく、硫黄分の含有量が１２質量ｐｐｍ以下であり且つ酸素分の含有量０．３質量％以下であることがより好ましい。硫黄分及び酸素分が上記の上限値を超える場合、ディーゼルエンジンの排出ガス処理装置で使用されるフィルターや触媒、さらにエンジンその他の材質に影響を及ぼす恐れがある。
【００６４】
（異性化処理方法）
本発明によって製造される炭化水素油を軽油留分基材として用いる場合に、被処理油又は該被処理油から水素、硫化水素、二酸化炭素及び水を分離した後の炭化水素油を、異性化触媒と接触させて分岐炭化水素化合物の含有量を増加させることで、軽油留分基材としての低温流動性を向上させることができる。
【００６５】
異性化の反応帯域は単一の触媒床から構成されていてもよいし、また複数の触媒床から構成されていてもよい。また、反応帯域が複数の触媒床から構成される場合、それらの触媒床は単一の反応器内に離隔して設置してもよいし、あるいは複数の反応器を直列または並列に配置し、各反応器内に触媒床を設置してもよい。
【００６６】
異性化の反応帯域における反応器の形式としては、固定床方式を採用することができる。すなわち、水素は被処理油に対して向流又は並流のいずれの形式を採用することができる。また、複数の反応器を用いて、向流、並流を組み合せた形式としてもよい。一般的な形式としては、ダウンフローであり、気液双並流形式を採用することができる。また、反応器は単独又は複数を組み合せてもよく、一つの反応器内部を複数の触媒床に区分した構造を採用してもよい。
【００６７】
（触媒）
異性化触媒は、水素化異性化活性を有するものであれば特に制限されないが、アルミニウム、ケイ素、ジルコニウム、ホウ素、チタン及びマグネシウムから選ばれる２種以上の元素を含んで構成される多孔性無機酸化物、並びに該多孔性無機酸化物に担持された周期律表第ＶＩＩＩ族の元素から選ばれる１種以上の金属元素を含有する触媒が好ましく用いられる。
【００６８】
異性化触媒の担体としては、水素化異性化活性を一層向上できる点から、アルミニウム、ケイ素、ジルコニウム、ホウ素、チタン及びマグネシウムから選ばれる２種以上であることが好ましく、アルミニウムと他の元素とを含む無機酸化物（酸化アルミニウムと他の酸化物との複合酸化物）が更に好ましい。
【００６９】
多孔性無機酸化物としては、アルミニウム、ケイ素、ジルコニウム、チタンのうち少なくとも二種類以上の元素を含んで構成されていることがより好ましい。多孔性無機酸化物は、非結晶性、結晶性のいずれの形態でもよく、ゼオライトを用いることもできる。ゼオライトを用いる場合には、国際ゼオライト学会が定める構造コードのうち、ＦＡＵ、ＢＥＡ、ＭＯＲ、ＭＦＩ、ＭＥＬ、ＭＷＷ、ＴＯＮ、ＡＥＬ、ＭＴＴなどの結晶構造を有するゼオライトを用いることが好ましい。
【００７０】
異性化触媒に担持する金属としては、周期律表第ＶＩＩＩ族の元素から選ばれる１種以上の金属であることが好ましく、このうち、Ｐｔ、Ｐｄ、Ｒｕ、Ｒｈ、Ａｕ、Ｉｒ、Ｎｉ、Ｃｏから選ばれる１種以上の金属であることがより好ましく、Ｐｔ、Ｒｄ、Ｒｕ、Ｎｉであることが特に好ましい。なお、これらの活性金属は、２種類以上の金属を組み合わせてもよく、たとえば、Ｐｔ−Ｐｄ、Ｐｔ−Ｒｕ、Ｐｔ−Ｒｈ、Ｐｔ−Ａｕ、Ｐｔ−Ｉｒなどの例が挙げられる。
【００７１】
これらの活性金属を触媒に含有させる方法は特に限定されず、通常の水素化触媒を製造する際に適用される公知の方法を用いることができる。通常、活性金属の塩を含む溶液を触媒担体に含浸する方法が好ましく採用される。また、平衡吸着法、Ｐｏｒｅ−ｆｉｌｌｉｎｇ法、Ｉｎｃｉｐｉｅｎｔ−ｗｅｔｎｅｓｓ法なども好ましく採用される。例えば、Ｐｏｒｅ−ｆｉｌｌｉｎｇ法は、担体の細孔容積を予め測定しておき、これと同じ容積の金属塩溶液を含浸する方法である。なお、含浸方法は特に限定されるものではなく、金属担持量や触媒担体の物性に応じて適当な方法で含浸することができる。これらの金属は、硝酸塩、硫酸塩、あるいは錯塩の形態の金属源を水溶液あるいは適当な有機溶剤に溶解し、含浸溶液として使用することができる。
【００７２】
（反応条件）
また、異性化の反応帯域入口においては、異性化の原料油に含まれる硫黄分含有量が１質量ｐｐｍ以下であることが好ましく、０．５質量ｐｐｍであることがより好ましい。硫黄分含有量が１質量ｐｐｍを超えると第１の工程における水素化異性化の進行が妨げられる恐れがある。加えて、同様の理由で、異性化の原料油と共に導入される水素を含む反応ガスについても硫黄分濃度が十分に低いことが必要であり、１容量ｐｐｍ以下であることが好ましく、０．５容量ｐｐｍ以下であることがより好ましい。
【００７３】
異性化工程における反応条件としては、好ましくは、水素圧力１〜１０ＭＰａ、液空間速度（ＬＨＳＶ）０．１〜３．０ｈ−１、水素油比（水素／油比）１００〜１５００ＮＬ／Ｌであり；より好ましくは、水素圧力２〜８ＭＰａ、液空間速度０．２〜２．５ｈ−１、水素油比２００〜１２００ＮＬ／Ｌであり；さらに好ましくは、水素圧力２．５〜８ＭＰａ、空間速度０．２〜２．０ｈ−１、水素油比２５０〜１０００ＮＬ／Ｌである。これらの条件はいずれも触媒の反応活性を左右する因子であり、例えば水素圧力及び水素油比が上記の下限値に満たない場合には、反応性が低下したり触媒活性が急速に低下したりする傾向がある。他方、水素圧力及び水素油比が上記の上限値を超える場合には、圧縮機等の過大な設備投資が必要となる傾向がある。また、液空間速度は低いほど反応に有利な傾向にあるが、上記の下限値未満の場合は、極めて大きな内容積の反応器が必要となり過大な設備投資が必要となる傾向があり、他方、液空間速度が上記の上限値を超える場合は、反応が十分に進行しなくなる傾向にある。
【００７４】
異性化工程における反応温度は２２０〜３９０℃の範囲であることが好ましく、２４０〜３８０℃の範囲であることがより好ましく、２５０〜３６５℃の範囲であることが特に好ましい。反応温度が２２０℃より低い場合には、十分な水素化異性化反応が進行せず、３９０℃より高い場合には、過度の分解あるいは他の副反応が進行するおそれがある。
【００７５】
異性化工程において、異性化の原料油と共に反応帯域に導入される水素ガスは、所定の反応温度まで昇温するための加熱炉の上流もしくは下流において原料油に随伴させて反応帯域入口から導入することが一般的であるが、これとは別に、反応帯域内の温度を制御するとともに、反応帯域全体にわたって水素圧力を維持する目的で、触媒床の間や複数の反応器の間から水素ガスを導入してもよい（クエンチ水素）。または、生成油、未反応油、反応中間油などのいずれかまたは複数組み合わせて、一部を反応帯域入口や触媒床の間、複数の反応器の間などから導入してもよい。これにより反応温度を制御し、反応温度上昇による過度の分解反応や反応暴走を回避することができる。
【００７６】
（分留）
異性化処理後の生成油は、必要に応じて精留塔で複数留分に分留してもよい。
例えば、ガス、ナフサ留分等の軽質留分、灯油、軽油留分等の中間留分、残さ留分等の重質留分に分留してもよい。この場合、軽質留分と中間留分とのカット温度は１００〜２００℃が好ましく、１２０〜１８０℃がより好ましく、１４０〜１６０℃がさらに好ましい。また、中間留分と重質留分とのカット温度は３００〜４００℃が好ましく、３００〜３８０℃がより好ましく、３００〜３６０℃がさらに好ましい。また、生成するこのような軽質炭化水素留分の一部を水蒸気改質装置において改質することにより水素を製造することができる。このようにして製造された水素は、水蒸気改質に用いた原料がバイオマス由来炭化水素であることから、カーボンニュートラルという特徴を有しており、環境への負荷を低減することができる。
【００７７】
（異性化処理後の生成油性状）
水素化精製油の異性化処理を実施する場合、異性化工程で得られる生成油は、分岐炭化水素化合物を含有する。この場合、分岐炭化水素化合物の含有量は、全生成油に対して重量比で５〜９０％であることが好ましく、１０〜８０％であることがより好ましく、２０〜６０％であることが特に好ましい。分岐炭化水素化合物の含有量が上記下限より低い場合は低温流動性向上の効果が低く、上記上限より高い場合は、副反応である分解反応が過度に進行し、目的とする軽油留分収率が低下する。
【００７８】
本発明によって製造される炭化水素油及びその異性化油は、特にディーゼル軽油や重油基材として好適に用いることができる。本発明にかかる炭化水素油は単独でディーゼル軽油や重油基材として用いてもよいが、他の基材などの成分を混合したディーゼル軽油又は重質基材として用いることができる。他の基材としては、一般的な石油精製工程で得られる軽油留分及び／又は灯油留分、本発明の製造方法で得られる残さ留分を混合することもできる。さらに、水素と一酸化炭素から構成される、いわゆる合成ガスを原料とし、フィッシャートロプシュ反応などを経由して得られる合成軽油もしくは合成灯油を混合することができる。これらの合成軽油や合成灯油は芳香族分をほとんど含有せず、飽和炭化水素を主成分とし、セタン価が高いことが特徴である。なお、合成ガスの製造方法としては公知の方法を用いることができ、特に限定されるものではない。
【００７９】
本発明の製造方法で得られる残さ留分は、硫黄分の含有量が０．１質量％以下であり、酸素分の含有量が１質量％以下であり、低硫黄重質基材として使用することができる。また、当該残さ留分は、接触分解用原料油として好適である。このように低硫黄レベルの残さ留分を接触分解装置に供することにより、硫黄分の少ないガソリン基材やその他燃料油基材を製造することができる。さらに、当該残さ留分は、水素化分解用原料油として用いることもできる。このような残さ留分を水素化分解装置に供することにより、分解活性の向上や生成油各留分性状の高品質化を達成することができる。
【実施例】
【００８０】
以下、実施例及び比較例に基づき本発明を更に具体的に説明するが、本発明は以下の実施例に何ら限定されるものではない。【００８１】
（触媒の調製）
＜触媒Ａ＞
濃度５質量％のアルミン酸ナトリウム水溶液３０００ｇに水ガラス３号１８．０ｇを加え、６５℃に保温した容器に入れた。他方、６５℃に保温した別の容器において濃度２．５質量％の硫酸アルミニウム水溶液３０００ｇにリン酸（濃度８５％）６．０ｇを加えた溶液を調製し、これに前述のアルミン酸ナトリウムを含む水溶液を滴下した。混合溶液のｐＨが７．０になる時点を終点とし、得られたスラリー状の生成物をフィルターに通して濾取し、ケーキ状のスラリーを得た。【００８２】
ケーキ状のスラリーを還流冷却器を取り付けた容器に移し、蒸留水１５０ｍｌと２７％アンモニア水溶液１０ｇを加え、７５℃で２０時間加熱攪拌した。該スラリーを混練装置に入れ、８０℃以上に加熱し水分を除去しながら混練し、粘土状の混練物を得た。得られた混練物を押出し成形機によって直径１．５ｍｍシリンダーの形状に押し出し、１１０℃で１時間乾燥した後、５５０℃で焼成し、成形担体を得た。【００８３】
得られた成形担体５０ｇをナス型フラスコに入れ、ロータリーエバポレータ−で脱気しながら三酸化モリブデン１７．３ｇ、硝酸ニッケル（ＩＩ）６水和物１３．２ｇ、リン酸（濃度８５％）３．９ｇ及びリンゴ酸４．０ｇを含む含浸溶液をフラスコ内に注入した。含浸した試料は１２０℃で１時間乾燥した後、５５０℃で焼成し、触媒Ａを得た。調製した触媒Ａの物性を表１に示す。【００８４】
＜触媒Ｂ＞
市販のシリカアルミナ担体（日揮化学社製Ｎ６３２ＨＮ）５０ｇをナス型フラスコに入れ、ロータリーエバポレーターで脱気しながらテトラアンミン白金（II）クロライド水溶液をフラスコ内に注入した。含浸した試料は１１０℃で乾燥した後、３５０℃で焼成し、触媒Ｂを得た。触媒Ｂにおける白金の担持量は、触媒全量を基準として０．５質量％であった。【００８５】
【表１】
0005588171.tif 000002
【００８６】
（実施例１）
触媒Ａ（１００ｍｌ）を充填した反応管（内径２０ｍｍ）を固定床流通式反応装置に取り付けた。その後、ジメチルジサルファイドを加えた直留軽油（硫黄分３質量％）を用いて触媒層平均温度３００℃、水素分圧６ＭＰａ、液空間速度１ｈ−１、水素／油比２００ＮＬ／Ｌの条件下で、４時間触媒の予備硫化を行った。【００８７】
予備硫化後、表２に示す性状を有するパーム油（含酸素炭化水素化合物に占めるトリグリセリド構造を有する化合物の割合：９８モル％）に後述の精留塔にて分留した中間留分の一部をパーム油（原料油）に対して１質量倍となる量をリサイクルし、パーム油に対する硫黄分含有量（硫黄原子換算）が１０質量ｐｐｍになるようにジメチルサルファイドを添加して被処理油の調整を行った。その後、被処理油を用いて、水素化精製を行った。被処理油の１５℃密度は０．９１６ｇ／ｍｌ、酸素分含有量は１１．４質量％であった。また、水素化精製の条件は、反応管入り口温度を１８０℃、水素圧力を３ＭＰａ、液空間速度を０．５ｈ−１、水素／油比を５００ＮＬ／Ｌとした。水素化精製後の処理油を高圧セパレータに導入し、処理油から水素、硫化水素、二酸化炭素および水の除去を行った。高圧セパレータ導入後の流出油は精留塔に導かれ、沸点範囲１５０℃未満の軽質留分、１５０〜３５０℃の中間留分、３５０℃を超える重質留分に分留した。中間留分の一部は、冷却水で４０℃まで冷却して、前述の通り原料油であるパーム油にリサイクルし、残りは軽油基材として採取した。水素化精製条件を表３に、反応管出口と入り口の温度差（ΔＴ）、得られた結果を表４に示す。なお、表４中、「脱炭酸率」とは、水素化脱酸素反応に占める水素化脱炭酸反応の占める割合を意味する。また、ΔＴの値は大きいほど、水素化精製処理における発熱が大きいことを意味する。【００８８】
（参考例１）
水素圧力を５ＭＰａとした以外は実施例１と同様にして水素化精製を行った。水素化精製条件を表３に、得られた結果を表４に示す。
【００８９】
（実施例２）
分留後の中間留分をリサイクルする代わりに、高圧セパレータで副生物を除去した処理油の一部を冷却水で４０℃まで冷却した後パーム油に対して１質量倍となる量をリサイクルする以外は、実施例１と同様にして水素化精製を行った。水素化精製条件を表３に、得られた結果を表４に示す。
【００９０】
（比較例１）
高圧セパレータで副生物を除去した処理油の一部をパーム油にリサイクルしない以外は、実施例１と同様にして水素化精製を行った。水素化精製条件を表３に得られた結果を、表４に示す。【００９１】
（比較例２）
圧力を６ＭＰａとし、パーム油に対する硫黄分含有量（硫黄原子換算）１００質量ｐｐｍとなるようにジメチルサルファイドをパーム油に添加した以外は実施例１と同様にして水素化精製を行った。水素化精製条件を表３に得られた結果を、表４に示す。【００９２】
（比較例３）
圧力を１０ＭＰａとした以外は実施例１と同様にして水素化精製を行った。水素化精製条件を表３に得られた結果を、表４に示す。【００９３】
（比較例４）
中間留分のリサイクルをパーム油に対して７質量倍とした以外は実施例１と同様にして水素化精製を行った。生成油には未反応原料が含まれており、水素化脱酸素反応が十分に進行していなかった。水素化精製条件を表３に得られた結果を、表４に示す。【００９４】
（実施例３）
実施例1の固定床流通式反応装置に、触媒Ｂ（５０ｍＬ）を充填した第二の反応管（内径２０ｍｍ）を接続した。触媒Ｂに対して、触媒層平均温度３２０℃、水素圧力５ＭＰａ、水素ガス量８３ｍｌ／ｍｉｎの条件化で６時間、還元処理を行った。
中間留分を得るまでの工程は実施例１と同様にし、リサイクルした残りの中間留分を、触媒Ｂ（５０ｍｌ）を充填した反応管（内径２０ｍｍ）を固定床流通式反応装置（異性化装置）に導入し、異性化処理を行った。まず、触媒Ｂに対して、触媒層平均温度３２０℃、水素圧力５ＭＰａ、水素ガス量８３ｍｌ／ｍｉｎの条件化で６時間、還元処理を行い、次に、触媒層平均温度を３３０℃、水素圧力を３ＭＰａ、液空間速度を１ｈ−１、水素／油比を５００ＮＬ／Ｌの条件で異性化処理を行った。異性化処理後の油は、さらに第２の精留塔に導かれ、沸点範囲１５０℃未満の軽質留分、１５０〜３５０℃の中間留分、３５０℃を超える重質留分に分留した。この第２の中間留分は軽油基材に用いる。水素化精製条件を表３に、得られた結果を表４に示す。異性化処理によって、軽油基材のイソパラフィン比率が高まり、流動点が低く（低温性能を向上できる）なっていることが分かる。
【００９５】
（実施例４）
実施例1の固定床流通式反応装置に、触媒Ｂ（５０ｍＬ）を充填した第二の反応管（内径２０ｍｍ）を接続した。触媒Ｂに対して、触媒層平均温度３２０℃、水素圧力５ＭＰａ、水素ガス量８３ｍｌ／ｍｉｎの条件化で６時間、還元処理を行った。
高圧セパレータで処理油から水素、硫化水素、二酸化炭素および水の除去を行うまでの工程は実施例１と同様にし、高圧セパレータから得られた流出油を触媒Ｂ（５０ｍｌ）を充填した反応管（内径２０ｍｍ）を固定床流通式反応装置（異性化装置）に導入し、異性化処理を行った。まず、触媒Ｂに対して、触媒層平均温度３２０℃、水素圧力５ＭＰａ、水素ガス量８３ｍｌ／ｍｉｎの条件化で６時間、還元処理を行い、次に、触媒層平均温度を３３０℃、水素圧力を３ＭＰａ、液空間速度を１ｈ−１、水素／油比を５００ＮＬ／Ｌの条件で異性化処理を行った。異性化処理後の油は、さらに精留塔に導かれ、沸点範囲１５０℃未満の軽質留分、１５０〜３５０℃の中間留分、３５０℃を超える重質留分に分留した。この中間留分は軽油基材に用いる。水素化精製条件を表３に、得られた結果を表４に示す。異性化処理によって、軽油基材のイソパラフィン比率が高まり、流動点が低く（低温性能を向上できる）なっていることが分かる。
【００９６】
【表２】
0005588171.tif 000003
【００９７】
【表３】
0005588171.tif 000004
【００９８】
【表４】
0005588171.tif 000005
【００９９】
上記表４に示した通り、実施例１〜４及び参考例１では、水素圧力、リサイクル量を適正な範囲に制御することにより、原料油の処理効率の低下を招くことなく、水素化脱炭酸反応選択性の向上と反応熱の抑制を行うことができ、効率の良い原料油の水素化精製方法を実現することができた。